(57)【要約】  【課題】印刷図柄に組み込まれた潜像印刷領域を目視で判別することが難しく、潜像印刷領域を顕像化するために通常の手段では入手が困難なレンズアレイシートを使用することによって潜像印刷領域を顕像化可能な、印刷物と、印刷物の真偽検証方法を提供する。【解決手段】平面上に複数の微小レンズが規則的に配列されたレンズアレイシートを使用して真偽検証を行う印刷物において、前記印刷物の図柄の中に、前記微小レンズの配列と整合する位置に形成された画素配列領域と、前記配列からずれた位置に形成された画素による潜像印刷領域が設けられた印刷物と印刷物の真偽検証方法を提供する。【選択図】  図１
2011025557.tif 000002
【特許請求の範囲】
【請求項１】
平面上に複数の微小レンズが規則的に配列されたレンズアレイシートを使用して真偽検証を行う印刷物において、
前記印刷物の図柄の中に、前記微小レンズの配列と整合する位置に形成された画素配列領域と、前記配列からずれた位置に形成された画素による潜像印刷領域が設けられたことを特徴とする印刷物。
【請求項２】
請求項１に記載の印刷物において、
微小レンズの配列からのずれは、微小レンズの規則的な配列に対する位相のずれであることを特徴とする印刷物。
【請求項３】
請求項１または２に記載の印刷物において、
画素は、印刷された網点であることを特徴とする印刷物。
【請求項４】
請求項３に記載の印刷物において、
潜像印刷領域に印刷された網点は、潜像印刷領域の周囲印刷部に対し単位面積当たりの網点の数は略同数で、網点角度及び／又は網点ピッチが異なる状態で印刷されたことを特徴とする印刷物。
【請求項５】
請求項１〜４何れかに記載の印刷物の真偽を検証する印刷物の真偽検証方法であって、
印刷物の潜像印刷領域が形成された印刷図柄上にレンズアレイシートを載置し、レンズアレイシートを介して潜像を発現させ、発現した潜像が所定のパターンであるか否かによって印刷物の真偽を検証するようにしたことを特徴とする印刷物の真偽検証方法。
【発明の詳細な説明】
【技術分野】
【０００１】
本発明は、印刷図柄の中に目視では判別不可能な潜像を有する印刷物と、潜像を検証する印刷物の真偽検証方法に関する。
【背景技術】
【０００２】
株券，商品券などは、偽造や複製を防止するため高価な印刷装置を使用して精巧な印刷物として市場に提供するのが通常であったが、近年では、偽造や複製を防止するホログラムを貼付する方法や、紫外線発色材料で一部分を印刷する方法など、偽造や複製を防止する手段は多岐にわたってきている。
前記偽造や複製を防止する手段として、万線画像を図柄の一部に組み込む方法が使用されていた。この万線によって潜像を印刷して、この潜像を鮮明に再現し、さらに、潜像の自由度を高めた印刷物とその顕像化方法が提供されている（例えば、特許文献１参照）。
また、優れた偽造防止効果を有する表示体及びラベル付き物品として、規則的に配列し、各々が表示用パターンを含んだ複数の単位表示部と、規則的に配列した複数のレンズを含み、前記複数の単位表示部と向き合ったレンズアレイとを具備し、前記複数の単位表示部は、前記表示用パターンが第１像を表示する複数の第１単位表示部と、前記表示用パターンが前記第１像とは異なる第２像を表示する１つ以上の第２単位表示部とを含み、前記複数の単位表示部の前記表示用パターンと前記複数のレンズとは、それらの配列との重ね合わせによって生じるモアレ効果により、前記複数の単位表示部の前記表示用パターンがそれぞれ表示する複数の像を合成してなる合成像を表示するように配置されており、前記合成像として、前記第２像の拡大像を表示せずに、前記第１像の拡大像を１つ以上表示する表示体、が提供されている（例えば、特許文献２参照）。
【先行技術文献】
【特許文献】
【０００３】
【特許文献１】特開２００４−１７４９９７号公報
【特許文献２】特開２００９−８６０４１号公報
【発明の概要】
【発明が解決しようとする課題】
【０００４】
特許文献１に開示されている技術では、万線部の存在が目視で判別可能な場合が多く、また、判別手段として使用される万線フィルムも比較的容易に入手できる。また、万線フィルムを密着させて潜像を顕在化したときの潜像の明瞭性が低い。
また、特許文献２に開示されている技術は、偽造や複製を困難にするために媒体とレンズアレイを一体化するため、対象物が限定されること、媒体が高価になってしまうことが欠点として挙げられる。
そこで本発明は、印刷図柄に組み込まれた潜像印刷領域を目視で判別することが難しく、潜像印刷領域を顕像化するために通常の手段では入手が困難なレンズアレイシートを使用することによって潜像印刷領域を顕像化可能な、「印刷物と、印刷物の真偽検証方法」を提供することを目的とする。
【課題を解決するための手段】
【０００５】
前記課題の目的を達成するために本発明の第一の態様は、平面上に複数の微小レンズが規則的に配列されたレンズアレイシートを使用して真偽検証を行う印刷物において、
前記印刷物の図柄の中に、前記微小レンズの配列と整合する位置に形成された画素配列領域と、前記配列からずれた位置に形成された画素による潜像印刷領域が設けられたことを特徴とするものである。
【０００６】
また、第二の態様は、第一の態様において、微小レンズの配列からのずれは、微小レンズの規則的な配列に対する位相のずれであることを特徴とするものである。
【０００７】
また、第三の態様は、第一または第二の態様において、画素は、印刷された網点であることを特徴とするものである。
【０００８】
また、第四の態様は、第三の態様において、潜像印刷領域に印刷された網点は、潜像印刷領域の周囲印刷部に対し単位面積当たりの網点の数は略同数で、網点角度及び／又は網点ピッチが異なる状態で印刷されたことを特徴とするものである。
【０００９】
また、第五の態様は、第一から第四何れかの態様の印刷物の真偽を検証する印刷物の真偽検証方法であって、印刷物の潜像印刷領域が形成された印刷図柄上にレンズアレイシートを載置し、レンズアレイシートを介して潜像を発現させ、発現した潜像が所定のパターンであるか否かによって印刷物の真偽を検証するようにしたことを特徴とするものである。
【発明の効果】
【００１０】
１）第一の態様のように、平面上に複数の微小レンズが規則的に配列されたレンズアレイシートを使用して真偽検証を行う印刷物において、前記印刷物の図柄の中に、前記微小レンズの配列と整合する位置に形成された画素配列領域と、前記配列からずれた位置に形成された画素による潜像印刷領域が設けられたことによって、また、微小レンズの配列からのずれは微小レンズの規則的な配列に対する位相のずれであり、また、画素は印刷された網点で潜像印刷領域に印刷された網点は潜像印刷領域の周囲印刷部に対し単位面積当たりの網点の数は略同数で、網点角度及び／又は網点ピッチが異なる状態で印刷されたことによって、図柄の中に組み込まれた潜像の存在を目視で判別することは極めて困難となる。また、このような潜像は、プリンタ（レーザプリンタ、熱転写プリンタ、インキジェットプリンタ）によっても、通常の印刷によっても図柄中に比較的容易に組み込むことができる。
２）また、第五の態様のように、第一から第四何れかの態様の印刷物の真偽を検証する印刷物の真偽検証方法であって、印刷物の潜像印刷領域が形成された印刷図柄上にレンズアレイシートを載置し、レンズアレイシートを介して潜像を発現させ、発現した潜像が所定のパターンであるか否かによって印刷物の真偽を検証するようにしたことによって、目視では判別が極めて困難な図柄中の潜像を、レンズアレイシートを使用することによって顕像化することが可能となる。一方、レンズアレイシートを通常の手段で入手することは極めて困難であることによって印刷物を安価な偽造防止媒体として提供でき、かつ、判別具が安価で、かつ、分かり易い判別方法によって印刷物の真偽検証方法を提供することができる。
【図面の簡単な説明】
【００１１】
【図１】本実施の形態の印刷物と、印刷物の真偽検証方法について説明するための図である。
【図２】図１の印刷物の印刷図柄の何れかの印刷色の潜像印刷領域と潜像印刷領域の周囲印刷部（以下、単に周囲印刷部ともいう）について説明するための図である。
【図３】図１の印刷物の印刷図柄の何れかの印刷色の潜像印刷領域に潜像が存在しない例について説明するための図である。
【図４】潜像印刷領域は周囲印刷部に対し単位面積当たりの網点の数は略同数で、網点角度又は網点ピッチが異なる状態について説明するための図である。
【図５】図１の印刷物の印刷図柄の何れかの印刷色の潜像印刷領域の潜像をパターン化した一例について説明するための図である。
【図６】図１のＣ−Ｃ線断面について説明するための図である。
【図７】網点の濃度について説明するための図である。
【発明を実施するための形態】
【００１２】
図１、図２を参照して、本実施の形態の印刷物と、印刷物の真偽検証方法について説明する。
図１は、印刷物の、潜像印刷領域が形成された図柄の表面に、複数の微小レンズが規則的に配置されたレンズアレイシートを載置して、レンズアレイシートの表面に潜像を発現させたことを示す模式図である。レンズアレイシート２の表面に、潜像印刷領域であるＡ部１１が、周囲印刷部であるＢ部１２の内側に所定の形状で発現（顕像化）していることがわかる。
【００１３】
印刷物１の図柄は、カラー（通常、３〜４色の多色刷り）または、２色、または、１色で印刷され、図柄の濃淡は網点の大きさの違いによって再現されている。
レンズアレイシート２の個々のレンズは、多色で印刷された図柄を構成する黄（Ｙ）、赤（Ｒ）、青（Ｂ）の中の一色、例えば、青部分の網点角度（以下、スクリーン角度ともいう）に角度を合わせ、網点のピッチに合わせて配置されている。
潜像印刷領域であるＡ部１１が形成された上にレンズアレイシート２を載置して所定の場所に移動させると、レンズアレイシートの個々のレンズが、印刷された網点の中心部に焦点を結ぶために、図２の周囲印刷部（図１のＢ部）１２では、青色に見える。そして、レンズアレイシート２のスクリーン角度に合っていない潜像印刷領域１１に形成された網点は、レンズアレイシート２の各レンズの焦点部に網点が存在しないために、所定の印刷領域である（図２のａ図の白抜けになっている網点形成部)Ａ部１１だけ紙の色で発現（表示）される。
【００１４】
以下の説明では、印刷物１の図柄の、ある一色で印刷された部分で説明するが、上述のように本願発明では発明の対象は一色で印刷された印刷物に限定するものではない。
【００１５】
図２のａ図は、図１の印刷物１の潜像印刷領域１１が形成された部分からレンズアレイシートを取り除いた状態を模式的に示したものである。
図２では、説明し易くするために、前述の「青」のスクリーン角度を模式的に示す格子３を、印刷部分の「青」色の網点と合成して表示している。
また、説明し易くするために、潜像印刷領域１１が形成された部分の網点だけ、色を白く抜いて表示している。実際の印刷部は、ｂ図に示すように、潜像印刷領域１１と周囲印刷部１２は、同一の印刷色で印刷されており潜像印刷領域１１と周囲印刷部１２は、目視では境界が明確に判別できない状態になっている。
【００１６】
図３と図４を参照して、潜像印刷領域と周囲印刷部の違いについて説明する。
図３は、説明し易いように、ｄ図に示す模式的な格子３を網点の上に重ね合わせ、合成してｃ図として示したものである。
図４に示す潜像印刷領域１１に印刷された網点（画素）群は、レンズアレイシートの各レンズの焦点位置から外れた位置（前述の画素配列領域である周囲印刷部１２の位相に対して「ずれた」位相）に配列されている。
ここでいう「位相をずらす」とは、画素（印刷物の例では、網点）の集団を所定の方向に僅かに平行移動させたり、傾ける（回転する）ことを意味する。
図４に示す例は、潜像印刷領域１１に印刷された網点群が、周囲印刷部１２に印刷された網点群とは網点角度（位相）が異なった（ずれた）状態で配置されている例である。
【００１７】
図３のｃ図に示す潜像印刷領域１１には、周囲印刷部１２と同一のスクリーン角度，同一ピッチの網点群が組み込まれている。
前述の図２と図３を比べたときに、図２に示す潜像印刷領域１１に印刷された網点の数と、図３に示す潜像印刷領域１１に印刷された網点の数は同数で、個々の網点の面積は同一になっている。
【００１８】
図４に示すように、周囲印刷部１２に印刷された網点群は、全て図に示す網点角度αの格子線３１上に配置されて組み込まれている。これに対して、潜像印刷領域１１に印刷された網点群は、網点角度βの格子線３２０（格子線３２の角度と同一）上に配置されて組み込まれている。
【００１９】
すなわち、図３のｃ図に示す潜像印刷領域１１に印刷された網点群と、図４（図２のａ図に示すものと同じ）に示す潜像印刷領域１１に印刷された網点群とは、網点の数と網点のピッチは同一であるが、図４（図２のａ図に示すものと同じ）に示す潜像印刷領域１１に印刷された網点群のそれぞれの網点の中心は、前述のように網点角度を前述のレンズアレイシートの個々のレンズの焦点と異なるように組み込まれた状態になっているのである。
その結果、印刷物を目視した場合に、図２のｂ図で説明したように、潜像印刷領域１１は、周囲印刷部１２と網点濃度が同一であるため、均一領域として見えるのである。
【００２０】
図２のｂ図に示した例のように、潜像印刷領域１１に印刷された網点の中に周囲印刷部１２に印刷された網点と接近している網点が存在した場合、その網点を削除しても、目視状態では同一濃度に視認されるため、潜像印刷領域１１に印刷された網点の数は、図３のｃ図に示された潜像印刷領域１１に印刷された網点の数と厳密に同数である必要はない。
また、潜像印刷領域１１を所定のパターンに見せるために、予め設定したパターン領域の中をレンズアレイシートの焦点を結ばない場所を選んで自由に（網点角度及び／又は網点ピッチが異なる状態で、すなわち、スクリーン角度と網点ピッチにとらわれず）網点を配置することもできる。この場合、潜像印刷領域１１に配置される網点の数は、好ましくは図３で説明した格子の交点の数と同じ数にする。
【００２１】
図５を参照して、図１の印刷物の印刷図柄の何れかの印刷色の潜像印刷領域をパターン化した一例について説明する。
図５のｅ図は、印刷図柄の潜像印刷領域１１’と周囲印刷部１２を含む付近を拡大した図である。
ｅ図の上にレンズアレイシート（図示せず）を載置すると、ｆ図に示すように、レンズアレイシート上に潜像印刷領域１１’の網点が「パターンＭ」（ｆ図の右側に図示）となって発現する。
この領域部分は、潜像印刷領域１１’を構成する１１個の網点を選択し、「パターンＭ」となるように配置し、この網点群を団体でレンズアレイシートの焦点の外に垂直に、「ずらす」とｅ図に示す状態となるのであるが、目視状態では「パターンＭ」と判別することはできない。
【００２２】
図６を参照して、図１のＣ−Ｃ線断面について説明する。
図６のレンズアレイシート２の部分が、図１のＣ−Ｃ線断面である。
図１のレンズアレイシート２の裏側の印刷部１には、潜像を構成する網点１１０，周囲印刷部の網点１２０が印刷されている。そして、潜像印刷領域（Ａ部）１１に位置するレンズアレイシート２のレンズには印刷物基紙の色が再現されて表示され、周囲印刷部（Ｂ部）１２に位置するレンズアレイシート２のレンズには、周囲印刷部の網点１２０の色が再現されて表示されている。
【００２３】
複数の微小レンズが規則的に配列されたレンズアレイシート２において、それぞれのレンズは、図５の例では、焦点距離がベース部分（図示せず）を含む個々のレンズの厚さに設定されている。その結果、レンズアレイシート２の真上から印刷物を目視したときに、印刷物の最も狭い部分を選択した状態になっている。
したがって、図５に示すように、潜像を構成する網点１１０がレンズアレイシート２の焦点を結ぶべき場所から少しでも外れていれば、「焦点部分に網点が存在しない」とレンズアレイシート２の表面に伝える（発現する）ことになる。
曲率が図５に示すレンズと同じで、ベース部分を含んだ厚さが図５の例より厚いレンズの場合は、焦点を結ぶべき場所が広くなり、潜像を構成する網点１１０が多少焦点から外れていても、この網点を拾ってしまい、「焦点部分に網点が存在する」とレンズアレイシート２の表面に伝える（発現する）ことになる。
【００２４】
したがって、レンズアレイシートの個々のレンズの曲率とレンズアレイシートの厚さとは、印刷物の真偽の判定を行うときの判定精度に大きく影響する。
また、上述のようにレンズアレイシートの個々のレンズの中心間の距離（レンズピッチ）は、印刷物の図柄の画素（網点）のピッチに一致させており、１インチの中に１２０〜１７５個程度の間隔（０．２１〜０．１４ｍｍのピッチで）で微小レンズが配置されていることになる。なお、微小レンズは、１インチ角中に１５０万個程度まで形成することができる。
【００２５】
図７と図６を参照して、網点の濃度について説明する。
図７は、印刷物の周囲印刷部の網点が印刷されている最小単位を拡大した図である。
図７に示す網点は、隣り合う網点角度３０度の格子線上に並べられた４個の網点を示している。網点同士はピッチＰで配列されている。
【００２６】
スクリーン角度は０度のとき格子模様が最も目立ち、４５度のときに最も目立ちにくいといわれている。そのため、もっとも目立たない黄色版を０度に設定し、最も目立ちやすい黒版を４５度に設定する。その結果、青版，赤版は、黒版から３０度ずつ離した１５度又は７５度となる。前記スクリーン角度は一般的な設定で、目的によって自由に選択される。本実施の形態では説明し易くするために、スクリーン角度が３０度の場合について説明する。
【００２７】
網点の濃度は、図７の４個の網点の中心を結ぶ線で囲まれた平行四辺形の面積Ｓに対し、平行四辺形の内側に含まれる網点の面積の比で表される。
図からも判るように、平行四辺形の内側に含まれる４個の網点の面積の合計は、網点１個の面積ｓに等しくなる。したがって、網点の濃度はｓ／Ｓで表される。
図６に示す、網点の中心から隣り合う網点の中心までの距離Ｐは、図７のＰと同一で、網点の半径ｄも、図７のｄと同一の意味を成す。
また、隣り合う網点と網点の間の距離はｎで示している。その結果、Ｐ＝２ｄ＋ｎで表すことができる。また、隣り合う格子線間の距離はｈで示している。
【００２８】
以下に、円ドットスクリーンで、スクリーン角度が３０度のとき網点の濃度と前記Ｐ，ｄ，ｎ，ｈの関係について説明する。
まず、（２ｄ＋ｎ）／２＝ｈ／√３であることから、ｈ＝（２ｄ＋ｎ）√３／２＝０．８７（２ｄ＋ｎ）となり、４つのドットの中心線を結ぶ平行四辺形の面積Ｓは、Ｓ＝（２ｄ＋ｎ）ｈ＝０．８７（２ｄ＋ｎ）2で表される。
また、網点の面積ｓは、ｓ＝πｄ2で表される。
上記から、網点の面積が５０％のとき、ｓ／Ｓ＝０．５で、３．１４ｄ2／０．８７（２ｄ＋ｎ）2＝０．５となる。このことから、ｎ＝０．６９７ｄとなる。
同様、網点の面積が３０％のとき、ｎ＝１．４７ｄで、網点の面積が１０％のとき、ｎ＝４ｄとなる。
【００２９】
上記から、潜像印刷領域にスクリーン角度または、網点ピッチを変えた網点群を配置し、網点の数を略同数として周囲印刷部と目視では判別困難とする。
潜像印刷領域は、網点の濃度は高いより低いほうがパターン化作業が容易で、網点の濃度は好ましくは５０％以下、さらに３０〜１０％程度がより好ましいことがわかる。
【００３０】
また、このことから、潜像印刷領域にスクリーン角度及び／又は網点ピッチを変えた網点群を配置し、印刷物にレンズアレイシートを重ねたときに、図１，図５で説明したようにＡ部がパターン状に見えるようにするためには、前述のＰ，ｄ，ｎの関係から網点の濃度は低くしたほうが、パターンの選択肢が広くなることがわかる。
本実施の形態では、円ドットスクリーンの例で説明したが、円ドットスクリーン以外に対しても同様の結果が適用可能である。
【産業上の利用可能性】
【００３１】
本発明の印刷物と印刷物の真偽検証方法は、印刷媒体が紙のものから、紙以外のものまで、広い範囲の印刷媒体に利用できる。
【符号の説明】
【００３２】
１      印刷物
２      レンズアレイシート
３      格子
１１，１１’  Ａ部，潜像印刷領域
１２    Ｂ部，周囲印刷部
３１    網点角度αの格子線
３２，３２０  網点角度βの格子線
１１０  画素，印刷された潜像を構成する網点
１２０  画素，印刷された周囲印刷部の網点
【図１】
2011025557.tif 000003
【図２】
2011025557.tif 000004
【図３】
2011025557.tif 000005
【図４】
2011025557.tif 000006
【図５】
2011025557.tif 000007
【図６】
2011025557.tif 000008
【図７】
2011025557.tif 000009